(57)【要約】      （修正有）【課題】テーブルを調整しやすく、かつ梱包時の体積が小さいテーブル付きフィットネスバイクを提供する。【解決手段】テーブル付きフィットネスバイクは、テーブルを支持するための第１のピラー２及びサドルを支持するための第２のピラー３を含むフレーム１と、支持足と、サドル６と、テーブル４とを備える。第１のピラーには、テーブルと第１のピラーとを接続する第１の昇降アセンブリが設けられ、これにより、第１のピラーに対してテーブルの上下の位置を調整できる。本発明によれば、ユーザは、第１の昇降アセンブリによりテーブルの高さを調整することができ、体格の異なるユーザに対応できる。また、テーブルを支持するピラーの高さも調整可能であるため、梱包するときに、ピラーを最も低い位置に降下し、梱包の体積を最大限に縮小することができる。【選択図】図１
2018198923.tif 000002
【特許請求の範囲】
【請求項１】
テーブルを支持する第１のピラー及びサドルを支持する第２のピラーを含むフレームと、支持足と、サドルと、テーブルと、を備えるテーブル付きフィットネスバイクであって、
前記第１のピラーにはテーブルと第１のピラーを接続する第１の昇降アセンブリが設けられ、第１のピラーに対してテーブルの上下の位置を調整できる、
ことを特徴とするテーブル付きフィットネスバイク。
【請求項２】
前記第２のピラーには、サドルと第２のピラーとを接続する第２の昇降アセンブリが設けられ、第２のピラーに対してサドルの上下の位置を調整できる、
ことを特徴とする請求項１に記載のテーブル付きフィットネスバイク。
【請求項３】
前記第１の昇降アセンブリは、第１のロック機能付きガススプリング、第１のスライダー及び第１のロック機能付きガススプリングの制御端に接続し、第１のロック機能付きガススプリングのロック及び解放を制御する第１のハンドルを含み、
前記第１のロック機能付きガススプリングの一端は、第１のピラー内の下端に設置され、他端は、第１のスライダーに接続し、
第１のスライダーは、テーブルの底部に接続し、
テーブルの下方には第１のハンドルが設けられ、第１のハンドルをひねると、第１のロック機能付きガススプリングが解放状態となり、テーブルが第１のピラーに対して上下に摺動可能となり、第１のハンドルを放すと、第１のロック機能付きガススプリングがロック状態となり、テーブルが第１のピラーに対してロックされる、
ことを特徴とする請求項１に記載のテーブル付きフィットネスバイク。
【請求項４】
前記第１のスライダーはスリーブで、前記第１のピラーは中空管であり、第１のスライダーは第１のピラー内に嵌合し、かつ第１の昇降アセンブリにより任意の高さにロック可能である、
ことを特徴とする請求項３に記載のテーブル付きフィットネスバイク。
【請求項５】
前記第１の昇降アセンブリは、テーブル及び第１のピラーを接続し、テーブルの第１のピラーに対する昇降を制御する電動式のリニア駆動装置であり、
リニア駆動装置の制御ボタンは、テーブルに設けられる、
ことを特徴とする請求項１に記載のテーブル付きフィットネスバイク。
【請求項６】
前記第２の昇降アセンブリは、第２のロック機能付きガススプリング、第２のスライダー及び第２のロック機能付きガススプリングの制御端に接続し、第２のロック機能付きガススプリングのロック及び解放を制御する第２のハンドルを含み、
前記第２のロック機能付きガススプリングの一端は、第２のピラー内の下端に設置され、他端は、第２のスライダーに接続し、
第２のスライダーは、サドルの底部に接続し、
サドルの下方には第２のハンドルが設けられ、第２のハンドルをひねると、第２のロック機能付きガススプリングが解放状態となり、サドルが第２のピラーに対して上下に摺動可能となり、第２のハンドルを放すと、第２のロック機能付きガススプリングがロック状態となり、サドルが第１のピラーに対してロックされる、
ことを特徴とする請求項２に記載のテーブル付きフィットネスバイク。
【請求項７】
前記第２のスライダーはスリーブで、前記第２のピラーは中空管であり、第２のスライダーは第２のピラー内に嵌合し、かつ第２の昇降アセンブリにより任意の高さにロック可能である、
ことを特徴とする請求項６に記載のテーブル付きフィットネスバイク。
【請求項８】
前記第２の昇降アセンブリは、サドル及び第２のピラーを接続し、サドルの第２のピラーに対する昇降を制御する電動式のリニア駆動装置であり、
リニア駆動装置の制御ボタンは、サドルの下方に設けられる、
ことを特徴とする請求項２に記載のテーブル付きフィットネスバイク。
【請求項９】
前記支持足は、フレームに回動可能に接続して複数設けられ、
複数の支持足は、ベースと独立して回動可能に接続される、
ことを特徴とする請求項１に記載のテーブル付きフィットネスバイク。
【請求項１０】
前記支持足の下方には、さらに重力ブレーキ機能付き車輪が設けられる、
ことを特徴とする請求項１に記載のテーブル付きフィットネスバイク。
【発明の詳細な説明】
【技術分野】
【０００１】
本発明は、フィットネス機器に関し、具体的には、テーブル付きフィットネスバイクに関する。
【背景技術】
【０００２】
フィットネスバイク自体は既に普及している。近年、健康的に業務を行ったり、従業員が仕事しながら運動するために、テーブル付きフィットネスバイクが登場している。このようなテーブル付きフィットネスバイクでは、通常、フィットネスバイクのハンドルにノードパソコンや、水筒などの業務用の必要品を置くための１つのテーブルが追加されている。これにより、従業員は、フィットネスバイクで仕事をすることができ、ユーザの健康に対する要望に合致する。
【０００３】
しかしながら、従来のテーブル付きフィットネスバイクでは、通常テーブルの位置を調整できず、体格の異なるユーザには適用できなかった。さらに、従来のフィットネスバイクでは、梱包した場合、体積が大きく、運送が不便であり、梱包の体積を小さくすると、ユーザが多大な労力をかけて組み立てる必要があり、使用が不便なことがあった。
【発明の概要】
【０００４】
本発明では、テーブルを調整しやすく、かつ梱包時の体積が小さく、組み立てが非常に便利であるテーブル付きフィットネスバイクを提供することを目的とする。
【０００５】
本発明のテーブル付きフィットネスバイクは、テーブルを支持するための第１のピラー及びサドルを支持するための第２のピラーを含むフレームと、支持足と、サドルと、テーブルと、を備え、上記第１のピラーにはテーブルと第１のピラーを接続する第１の昇降アセンブリが設けられる。この構成により、第１のピラーに対してテーブルの上下の位置を調整できる。
【０００６】
本発明の上記構造によれば、ユーザは、第１の昇降アセンブリによりテーブルの高さを調整することができ、体格の異なるユーザにも対応でき、人体工学に適合する。また、テーブルを支持するピラーの高さも調整可能であるため、梱包するときに、テーブルのピラーを最も低い位置に降下させ、梱包時の体積を最大限に縮小させることができる。
【０００７】
以下に、本発明の好ましい形態を説明する。
上記第２のピラーにはサドルと第２のピラーとを接続するための第２の昇降アセンブリが設けられ、これにより、第２のピラーに対するサドルの上下の位置を調整できる。上記構造によれば、ユーザは、サドルの高さも便利に調整することができる。
【０００８】
上記第１の昇降アセンブリは第１のピラー内に設けられる。第１の昇降アセンブリは、第１のロック機能付きガススプリング、第１のスライダー及び第１のロック機能付きガススプリングの制御端に接続し、第１のロック機能付きガススプリングのロック及び解放を制御する第１のハンドルを含み、上記第１のロック機能付きガススプリングの一端は、第１のピラーに接続し（第１のピラー内の下端に設置され）、他端は、第１のスライダーに接続し、第１のスライダーは、テーブルの底部に接続し、第１のハンドルはテーブルに設けられ、第１のハンドルをひねると、第１のロック機能付きガススプリングが解放状態となり、テーブルが第１のピラーに対して上下に摺動可能となり、ハンドルを放すと、第１のロック機能付きガススプリングがロック状態となり、テーブルが第１のピラーに対してロックされる。このようなロック機能付きガススプリングの調整手段によれば、ユーザは、降りることなくフィットネスバイクに乗ったまま、テーブル上のハンドルを制御してテーブルの高さを調整することができるため、操作が簡単かつ便利である。
【０００９】
上記第１のスライダーはスリーブで、上記第１のピラーは中空管であり、第１のスライダーは第１のピラー内に嵌合し、かつ第１の昇降アセンブリにより任意の高さにロック可能である。このような構造によれば、スライダーは、スリーブと第１のピラーとの協働で上下方向における高さの調整を比較的穏やかに行うことができ、テーブルを使用するときの揺れが小さくなる。
【００１０】
前記第１の昇降アセンブリは、テーブル及び第１のピラーを接続し、テーブルの第１のピラーに対する昇降を制御する電動式のリニア駆動装置であり、リニア駆動装置の制御ボタンは、テーブルに設けられる。このような構造によれば、操作がより簡単かつ便利であり、ユーザは、ボタンを押すだけでテーブルの高さを調整できる。
【００１１】
上記第２の昇降アセンブリは、第２のピラー内に設けられる。上記第２の昇降アセンブリは、第２のロック機能付きガススプリング、第２のスライダー及び第２のロック機能付きガススプリングの制御端に接続し、第２のロック機能付きガススプリングのロック及び解放を制御する第２のハンドルを含み、上記第２のロック機能付きガススプリングの一端は、第２のピラー内の下端に設置され、他端は、第２のスライダーに接続し、第２のスライダーは、サドルの底部に接続し、サドルの下方には第２のハンドルが設けられ、第２のハンドルをひねると、第２のロック機能付きガススプリングが解放状態となり、サドルが第２のピラーに対して上下に摺動可能となり、第２のハンドルを放すと、第２のロック機能付きガススプリングがロック状態となり、サドルが第１のピラーに対してロックされる。このようなサドルの調整手段によれば、ユーザは、降りることなくサドルの調整を行うことができ、操作が簡単かつ便利である。
【００１２】
前記第２の昇降アセンブリは、サドル及び第２のピラーを接続し、サドルの第２のピラーに対する昇降を制御する電動式のリニア駆動装置であり、リニア駆動装置の制御ボタンは、サドルの下方に設けられる。このような手段によれば、サドルの高さを電動で調整することができる。
【００１３】
上記支持足は、フレームに回動可能に接続して複数設けられ、複数の支持足は、ベースと独立して回動可能に接続される。このような手段によれば、梱包するときに、支持足をフレームに収納して折り畳むことにより、梱包時の体積を縮小することができる。
【００１４】
上記支持足の下方には、さらに重力ブレーキ機能付き車輪が設けられる。重力ブレーキ機能付き車輪は、本来のマットの代わりとなり、フィットネスバイクが無負荷のときに移動可能となる。このとき、ユーザは、フィットネスバイクを移動しやすく、一方、ユーザがフィットネスバイクに乗ったときには、重力ブレーキ機能付き車輪が重力を感じてブレーキをかけ、すなわち、重力ブレーキ機能付き車輪が回動できなくなり、ユーザは操作しやすい。  
【図面の簡単な説明】
【００１５】
【図１】本発明の一実施形態によるテーブル付きフィットネスバイクのケースが取り外された後の枠体の構造の一例を示す模式図である。
【図２】本発明の一実施形態によるテーブル付きフィットネスバイクの外形の一例を示す模式図である。
【図３】本発明の一実施形態によるテーブル付きフィットネスバイクの一部を分解した状態を示す模式図である。
【図４】本発明の一実施形態によるテーブルの接続構造を示す模式図である。
【発明を実施するための形態】
【００１６】
図１、図２、図３、及び図４に示されるように、本発明では、フレーム１、支持足５、サドル６及びテーブル４を含むテーブル付きフィットネスバイクを提供する。上記フレーム１は、テーブル４を支持する第１のピラー２と、サドル６を支持する第２のピラー３とを含み、上記第１のピラー２にはテーブル４と第１のピラー２とを接続する第１の昇降アセンブリが設けられる。そして、この構成により、第１のピラー２に対するテーブル４の上下の位置を調整できる。
【００１７】
図１、及び図３に示されるように、フレーム１全体の枠体構造は、四角形であり、底部に横ビームが設けられ、前部に第１のピラー２が設けられ、後部に第２のピラー３が設けられ、第２のピラー３と横ビームとの間にさらにフレームの強度を高める補強ビームが設けられる。第１のピラー２には、第１のピラー内を摺動可能なスリーブである第１のスライダー１０．１が設けられ、当該スリーブ内には第１のロック機能付きガススプリング１０．２が設けられる。第１のロック機能付きガススプリング１０．２の下端は、第１のピラー２内のフレームに接続してシリンダーとなり、上端は、スリーブに接続して固定されるピストンロッドとなる。テーブルの下方には、接続部材を介して第１のロック機能付きガススプリングの制御弁に接続する、第１のロック機能付きガススプリングのロック及び解放を制御するための第１のハンドル１０．３が設けられる。ユーザが使用する場合には、ハンドルをひねることにより、第１のロック機能付きガススプリングを解放状態にする。これにより、ユーザはテーブルの昇降を制御することができる。テーブルが必要な高さまで昇降した後、ユーザがハンドルを放すことにより、第１のロック機能付きガススプリングをロック状態にし、テーブルを設定された高さに固定する。ユーザはフィットネスバイクに乗ったままで、テーブルの高さの調整を実現できるため、調整が簡単かつ便利であり、降りて調整を繰り返す必要がない。
【００１８】
本実施例においては、サドル６の調整もロック機能付きガススプリングにより行っても良い。第２のピラー３には第２のピラー内を摺動可能なスリーブである第２のスライダー１１．１が設けられ、当該スリーブ内には第２のロック機能付きガススプリング１１．２が設けられる。第２のロック機能付きガススプリング１１．２の下端は、第２のピラー３内のフレームに接続してシリンダーとなり、上端は、スリーブに接続して固定されるピストンロッドとなる。サドルの下方には、接続部材を介して第２のロック機能付きガススプリングの制御弁に接続する、第２のロック機能付きガススプリングのロック及び解放を制御するための第２のハンドル１１．３が設けられる。当該構造によれば、ユーザは、サドルの高さを調整する場合にも、同様に降りることなく調整できる。
【００１９】
図４に示されるように、第１のハンドル１０．３はテーブル４の下方に設けられる。テーブル４はテーブル４の下方に設置されたテーブル接続座を介して第１のスライダー１０．１に接続する。テーブル４の下方には第１のハンドル１０．３を取り付けるための固定座１０．７が設けられ、第１のハンドル１０．３はシャフト１０．４を介して固定座１０．７に回動可能に取り付けられる。シャフト１０．４の他端には押圧ブロック１０．５が設けられ、押圧ブロック１０．５の下方には、下端が第１のロック機能付きガススプリングの制御弁に当接する突き出しピンアセンブリ１０．６が設けられる。第１のハンドル１０．３を回動すると、押圧ブロック１０．５が下に移動し、突き出しピンアセンブリ１０．６を押してロック機能付きガススプリングの制御弁を開き、第１のロック機能付きガススプリングを解放状態にする。突き出しピンアセンブリ１０．６は、さらに復帰バネを含み、ユーザが第１のハンドルを付勢しないと、突き出しピンアセンブリ１０．６は自動的に元の位置に戻り、第１のロック機能付きガススプリングをロック状態にする。
【００２０】
本発明においては、上記第１の昇降アセンブリ及び第２の昇降アセンブリは、昇降の高さを電動で調整できる従来の電動リニア駆動装置を採用してもよい。例えばプーリー及び紐からなる昇降アセンブリや、通常のガススプリングに機械的なロック装置を加えた昇降アセンブリ等他の構造の昇降アセンブリを採用してもよく、いずれも本発明の技術的範囲に含まれる。
【００２１】
本発明においては、支持足５は、フレームに回動可能に接続することができる。これにより、使用するときには、支持足５が広がって車体を安定させ、一方、梱包するときには、フレームに収納されるように折り畳むことにより、梱包の体積を減少できる。上記構成では、支持足が広がった後、スプリングピンでフレーム上の位置決め孔に自動的に係り合い、広がった後の支持足の揺れを防止し、支持足をより安定化することができる。本実施例においては、４つの支持足を使用したが、実際の用途に応じてより多い、又はより少ない支持足を使用してもよい。支持足がフレームに回動可能に接続し、梱包するときに体積を縮小できる構造であれば、本発明の技術的範囲に含まれることは明らかである。
【００２２】
本発明においては、上記支持足５の下方にはさらに重力ブレーキ機能付き車輪５．１を設けてもよい。当該構造によれば、重力ブレーキ機能付き車輪５．１は、本来のマットの代わりとなり、フィットネスバイクが無負荷のときに移動することができる。このとき、ユーザはフィットネスバイクを移動しやすく、一方、ユーザがフィットネスバイクに乗ったときに、重力ブレーキ機能付き車輪５．１が重力を感じてブレーキをかけすなわち、重力ブレーキ機能付き車輪５．１が回動できなくなり、ユーザは使用しやすい。重力ブレーキ機能付き車輪５．１自身は従来技術に属するため、ここで重力ブレーキ機能付き車輪の構造及び原理を詳細に説明しない。
【符号の説明】
【００２３】
１  フレーム、２  第１のピラー、３  第２のピラー、４  テーブル、４．１  テーブル取付座、５  支持足、５．１  重力ブレーキ機能付き車輪、６  サドル、７  負荷装置、８  ペダル、９  負荷調整ボタン、１０．１  第１のスライダー、１０．２  第１のロック機能付きガススプリング、１０．３  第１のハンドル、１０．４  シャフト、１０．５  押圧ブロック、１０．６  突き出しピンアセンブリ、１０．７  固定座、１１．１  第２のスライダー、１１．２  第２のロック機能付きガススプリング、１１．３  第２のハンドル
【図１】
2018198923.tif 000003
【図２】
2018198923.tif 000004
【図３】
2018198923.tif 000005
【図４】
2018198923.tif 000006